(57)【要約】【課題】無駄な印刷を防止することが可能な印刷システムを提供する。【解決手段】  印刷対象データを保存するための特定フォルダ１２０を備えるサーバ１００と、印刷対象データから生成される印刷ジョブに基づいた印刷を行う印刷装置２００とを備える印刷システム１であって、特定フォルダ１２０に保存される第１印刷対象データから第１印刷ジョブを生成するジョブ生成部１４２と、第１印刷ジョブと印刷順番とを関連づけて記憶するジョブ管理部１４３と、第１印刷対象データを更新することにより生成された第２印刷対象データを検出するデータ検出部１４１と、を備え、ジョブ生成部１４２は、第２印刷対象データが検出された場合、第２印刷対象データから第２印刷ジョブを生成し、ジョブ管理部１４３は、第２印刷ジョブが生成された場合、第１印刷ジョブを削除するとともに、第２印刷対象データを当該第１印刷ジョブの印刷順番にて記憶する。【選択図】  図２
2017211797.tif 000002
【特許請求の範囲】
【請求項１】
印刷ジョブの生成元となる印刷対象データを保存するための特定フォルダを備えるサーバと、前記印刷対象データから生成される前記印刷ジョブに基づいた印刷を行う印刷装置とを備える印刷システムであって、
前記特定フォルダに前記印刷対象データとして保存される第１印刷対象データから第１印刷ジョブを生成するジョブ生成部と、
前記第１印刷ジョブと前記第１印刷ジョブを印刷する印刷順番とを関連づけて記憶するジョブ管理部と、
前記第１印刷対象データを更新することにより生成された第２印刷対象データが前記特定フォルダに保存されたことを検出するデータ検出部と、を備え、
前記ジョブ生成部は、前記第２印刷対象データが検出された場合、前記第２印刷対象データから第２印刷ジョブを生成し、
前記ジョブ管理部は、前記第２印刷ジョブが生成された場合、前記第１印刷ジョブを削除するとともに、前記第２印刷対象データを当該第１印刷ジョブの印刷順番にて記憶する
ことを特徴とする印刷システム。
【発明の詳細な説明】
【技術分野】
【０００１】
本発明は、印刷ジョブの生成元となる印刷対象データを保存するための特定フォルダを備えるサーバと、印刷対象データから生成される印刷ジョブに基づいた印刷を行う印刷装置とを備える印刷システムに関する。
【背景技術】
【０００２】
従来、サーバ等に設けられる特定フォルダに写真画像などの印刷対象データを保存しておくと、印刷対象データから印刷ジョブを自動的に生成し、生成した印刷ジョブを印刷装置に転送する印刷システムが知られている（例えば、特許文献１参照）。なお、上述した特定フォルダは、ホットフォルダとも称される。
【０００３】
また、この種の印刷システムでは、印刷装置において印刷ジョブを保存しておき、ユーザからの指示があった場合に、保存しておいた印刷ジョブに基づいた印刷を行うことも可能である。
【先行技術文献】
【特許文献】
【０００４】
【特許文献１】特開２０００−１１８０９５号公報
【発明の概要】
【発明が解決しようとする課題】
【０００５】
ところで、特定フォルダに印刷対象データを保存した後に、特定フォルダに保存される印刷対象データに所定の修正を施して、印刷対象データを更新する場合がある。
【０００６】
このような場合、従来技術では、更新後の印刷対象データから生成した更新後の印刷ジョブが、新たな印刷ジョブとして生成される。すなわち、更新前の印刷ジョブと更新後の印刷ジョブとの２つの印刷ジョブが、印刷装置によって印刷されてしまうため、無駄な印刷が実行されるという問題がある。
【０００７】
本発明は、上述の状況に鑑みてなされたもので、無駄な印刷を防止することが可能な印刷システムを提供することを目的とする。
【課題を解決するための手段】
【０００８】
上記目的を達成するため、本発明に係る印刷システムの第１の特徴は、印刷ジョブの生成元となる印刷対象データを保存するための特定フォルダを備えるサーバと、前記印刷対象データから生成される前記印刷ジョブに基づいた印刷を行う印刷装置とを備える印刷システムであって、前記特定フォルダに前記印刷対象データとして保存される第１印刷対象データから第１印刷ジョブを生成するジョブ生成部と、前記第１印刷ジョブと前記第１印刷ジョブを印刷する印刷順番とを関連づけて記憶するジョブ管理部と、前記第１印刷対象データを更新することにより生成された第２印刷対象データが前記特定フォルダに保存されたことを検出するデータ検出部と、を備え、前記ジョブ生成部は、前記第２印刷対象データが検出された場合、前記第２印刷対象データから第２印刷ジョブを生成し、前記ジョブ管理部は、前記第２印刷ジョブが生成された場合、前記第１印刷ジョブを削除するとともに、前記第２印刷対象データを当該第１印刷ジョブの印刷順番にて記憶することにある。
【発明の効果】
【０００９】
本発明に係る印刷システムの第１の特徴によれば、ジョブ生成部は、第１印刷対象データを更新することにより生成された第２印刷対象データが検出された場合、第２印刷対象データから第２印刷ジョブを生成する。また、ジョブ管理部は、第２印刷ジョブが生成された場合、第１印刷ジョブを削除するとともに、第２印刷対象データを第１印刷ジョブの印刷順番にて記憶する。
【００１０】
これにより、第１印刷対象データを更新して第２印刷対象データが生成されても、更新前の第１印刷対象データから生成した第１印刷ジョブと、更新後の第２印刷対象データから生成した第２印刷ジョブとの２つの印刷ジョブが印刷されてしまうことを防止できるため、無駄な印刷を防止できる。
【００１１】
また、ジョブ管理部は、第２印刷対象データを第１印刷ジョブの印刷順番にて記憶するため、第２印刷ジョブの印刷時には、第１印刷ジョブの印刷順番が維持される。これにより、例えば、冊子や資料等の印刷物のページ順番を複数の印刷ジョブの印刷順番によって設定している場合に、印刷物のページ順番が変更されることを防止できるため、印刷物を作成する上での利便性を高めることができる。
【図面の簡単な説明】
【００１２】
【図１】本発明の実施例１に係る印刷システムの概略ブロック図である。
【図２】本発明の実施例１に係る印刷システムの動作を示すフローチャートである。
【図３】本発明の実施例１に係る印刷システムの記憶部に記憶されるテーブルの一例を示す図である。
【図４】本発明の実施例１に係る印刷システムの記憶部に記憶されるテーブルの一例を示す図である。
【図５】本発明の実施例１に係る印刷システムの動作を示すフローチャートである。
【図６】本発明の実施例１に係る印刷システムの記憶部に記憶されるテーブルの一例を示す図である。
【発明を実施するための形態】
【００１３】
以下、本発明の実施例に係る印刷システムについて、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１４】
［実施例１］
＜印刷システムの構成＞
図１は、本発明の実施例１に係る印刷装置が設けられた印刷システム１の概略構成を示すブロック図である。
【００１５】
図１に示すように、印刷システム１は、端末装置１０に接続するサーバ１００と、サーバ１００に接続する印刷装置２００とを備える。
【００１６】
サーバ１００は、通信部１１０と、特定フォルダ１２０と、サーバ記憶部１３０と、サーバ制御部１４０とを備える。
【００１７】
通信部１１０は、ネットワークを介して、端末装置１０と印刷装置２００とに接続しており、端末装置１０と印刷装置２００との間で、各種データを送受信する。なお、ネットワークは、インターネットであってもよいし、ローカルエリアネットワークであってもよい。また、ネットワークの通信方式は、有線式であってもよいし、無線式であってもよい。
【００１８】
特定フォルダ１２０は、ハードディスクなどの記憶媒体により構成される。特定フォルダ１２０は、印刷ジョブの生成元となる印刷対象データを保存するためのものである。
【００１９】
特定フォルダ１２０は、端末装置１０がアクセスできるように構成されている。特定フォルダ１２０は、端末装置１０から送信された印刷対象データを保存する。特定フォルダ１２０に保存される印刷対象データは、端末装置１０の操作によって修正された上で、更新される。
【００２０】
サーバ記憶部１３０は、ハードディスクなどの記憶媒体によって構成される。サーバ記憶部１３０は、サーバ１００内の処理に用いられる各種データを記憶する。例えば、サーバ記憶部１３０は、サーバ制御部１４０を構成するＣＰＵの動作プログラムなどの各種プログラムや各種制御データやテーブルを記憶する。また、サーバ記憶部１３０は、ＣＰＵ動作時のワークエリアや展開メモリとしても機能する。
【００２１】
サーバ制御部１４０は、サーバ１００に備えられる各種機能を制御する。サーバ制御部１４０は、ＣＰＵ（不図示）を備え、制御プログラムを読込んだＣＰＵにより実行される各種機能を実現する。
【００２２】
また、サーバ制御部１４０は、印刷対象データに基づいて、印刷ジョブを生成する。サーバ制御部１４０は、通信部１１０を介して、印刷ジョブを印刷装置２００に送信する。
【００２３】
印刷装置２００は、印刷対象データから生成される印刷ジョブに基づいた印刷を行う。印刷装置２００は、通信部２１０と、印刷装置記憶部２２０と、印刷部２３０と、操作パネル部２４０と、印刷制御部２５０とを備える。
【００２４】
通信部２１０は、ネットワークを介して、サーバ１００との間で通信する。
【００２５】
印刷装置記憶部２２０は、ハードディスクなどの記憶媒体によって構成される。印刷装置記憶部２２０は、印刷装置２００内の処理に用いられる各種データを記憶する。例えば、印刷装置記憶部２２０は、印刷制御部２５０を構成するＣＰＵの動作プログラムなどの各種プログラムや各種制御データやテーブルを記憶する。また、印刷装置記憶部２２０は、ＣＰＵ動作時のワークエリアや展開メモリとしても機能する。
【００２６】
印刷部２３０は、印刷用紙に所定画像を形成する。印刷部２３０は、インクジェット方式により、所定画像を形成する。印刷部２３０は、インクを吐出するヘッド部、印刷用紙を搬送するための搬送部、所定画像が形成された印刷済の印刷用紙を排紙する排紙部などを備えている（いずれも不図示）。なお、印刷部２３０によって所定画像を形成する方式は、特に限定されず、例えば、電子写真方式であってもよい。
【００２７】
操作パネル部２４０は、印刷装置２００の上部に設けられ、表示／入力パネルと、読み取りや印刷等を開始させるためのスタートキー、読み取りや印刷等を停止させるためのストップキー、印刷枚数等を入力するためのテンキー（いずれも不図示）等の各種操作キーとを備える。操作パネル部２４０は、表示／入力パネル又は操作キーを用いてユーザにより入力された操作データを印刷制御部２５０に送信する。
【００２８】
印刷制御部２５０は、印刷装置２００に備えられる各種機能を制御する。印刷制御部２５０は、ＣＰＵ（不図示）を備え、制御プログラムを読込んだＣＰＵにより実行される各種機能を実現する。
【００２９】
印刷制御部２５０は、印刷ジョブに基づいて、印刷部２３０を制御することにより、印刷用紙に所定画像を印刷する。印刷制御部２５０は、サーバ１００から送信された印刷ジョブと印刷順番とを印刷装置記憶部２２０に記憶する。
【００３０】
印刷制御部２５０は、ユーザにより操作パネル部２４０に所定の印刷指示がなされた場合、印刷装置記憶部２２０に記憶された印刷ジョブに基づく印刷を行う。このとき、印刷制御部２５０は、印刷ジョブに関連づけられた印刷順番に従って、印刷ジョブに基づく印刷を行う。
【００３１】
＜サーバ制御部の構成＞
次に、サーバ制御部１４０の機能について、具体的に説明する。図１に示すように、サーバ制御部１４０は、データ検出部１４１と、ジョブ生成部１４２と、ジョブ管理部１４３とを備える。
【００３２】
データ検出部１４１は、特定フォルダ１２０を監視する。データ検出部１４１、新たな印刷対象データが特定フォルダに保存されると、当該新たな印刷対象データを検出する。
【００３３】
そして、データ検出部１４１は、印刷対象データと、印刷対象データの作成日時（日時分秒）とを関連づけてサーバ記憶部１３０に記憶する。また、データ検出部１４１は、特定フォルダ１２０に記憶されていた印刷対象データが更新されると、更新後の印刷対象データを検出する。
【００３４】
ジョブ生成部１４２は、データ検出部１４１によって特定フォルダ１２０に新たな印刷対象データ（例えば、第１印刷対象データ）が検出されると、当該印刷対象データから印刷ジョブ（例えば、第１印刷ジョブ）を生成する。
【００３５】
また、ジョブ生成部１４２は、印刷対象データを更新した更新後の印刷対象データ（例えば、第２印刷対象データ）が検出された場合、更新後の印刷対象データから印刷ジョブ（例えば、第２印刷ジョブ）を生成する。
【００３６】
ジョブ管理部１４３は、印刷ジョブ（例えば、第１印刷ジョブ）と、印刷ジョブを印刷する印刷順番とを関連づけて、サーバ記憶部１３０に記憶する。また、ジョブ管理部１４３は、更新後の印刷対象データから印刷ジョブ（例えば、第２印刷ジョブ）が生成された場合も、生成された印刷ジョブ（例えば、第２印刷ジョブ）と、印刷順番とを関連づけて、サーバ記憶部１３０に記憶する。
【００３７】
また、ジョブ管理部１４３は、サーバ記憶部１３０に記憶される印刷ジョブと印刷順番とを、通信部１１０を介して印刷装置２００に送信する。なお、印刷装置２００では、印刷制御部２５０が、印刷ジョブに関連づけられた印刷順番に従って、印刷ジョブに基づく印刷を行う。
【００３８】
＜印刷システム１の動作＞
次に、印刷システム１の動作について説明する。図２は、印刷システム１の動作を示すフローチャートである。まず、図２を参照して、新たな印刷対象データが特定フォルダ１２０に記憶された際に実行される新規処理について説明する。
【００３９】
ステップＳ１０において、データ検出部１４１は、特定フォルダ１２０内を監視する。例えば、データ検出部１４１は、特定フォルダ１２０内を定期的（例えば、３分ごと）にポーリングする。
【００４０】
そして、ステップＳ２０において、データ検出部１４１は、特定フォルダ１２０内に、新たな印刷対象データがあるか否かを判定する。具体的に、新たなファイル名の印刷対象データが特定フォルダ１２０に保存されたか否かを判定する。
【００４１】
なお、データ検出部１４１は、新たな印刷対象データがないと判定した場合、すなわち、新たな印刷対象データが検出されない場合（ステップＳ２０“Ｎｏ”）、ステップＳ１０の動作を繰り返す。
【００４２】
一方、ステップＳ３０において、データ検出部１４１は、新たな印刷対象データがあると判定した場合（ステップＳ２０“Ｙｅｓ”）、すなわち、新たな印刷対象データが検出された場合、印刷対象データと、印刷対象データの作成日時（日時分秒）とを関連づけてサーバ記憶部１３０に記憶する。
【００４３】
具体的に、図３に示すように、データ検出部１４１は、印刷対象データのファイル名と、印刷対象データの作成日時（日時分秒）とを関連づけたデータテーブルＴ１を記憶する。なお、作成日時は、印刷対象データに含まれるメタデータから取得してもよい。
【００４４】
ステップＳ４０において、ジョブ生成部１４２は、新たな印刷対象データから印刷ジョブを生成する。ここで、ジョブ生成部１４２は、印刷対象データのファイル名に基づいて、印刷ジョブのファイル名を設定する。
【００４５】
例えば、印刷対象データのファイル名が“ｃｃｃ．ｄｏｃ”である場合、印刷ジョブのファイル名を“ｃｃｃ．ｄｏｃ．ｐｒｎ”に設定する。すなわち、印刷対象データのファイル名に所定の拡張子（例えば、“ｐｒｎ”）のみを付加して、印刷ジョブのファイル名を設定する。これにより、印刷対象データと印刷ジョブとの対応関係を認識しやすくなる。
【００４６】
そして、ステップＳ５０において、ジョブ管理部１４３は、生成された印刷ジョブと印刷順番とを関連づけてサーバ記憶部１３０に記憶する。
【００４７】
具体的に、図４に示すように、ジョブ管理部１４３は、印刷ジョブのファイル名と、印刷順番とを関連づけてジョブテーブルＴ２に記憶する。例えば、新しい印刷ジョブのファイル名が“ｃｃｃ．ｄｏｃ．ｐｒｎ”である場合、ジョブ管理部１４３は、印刷が最後になる印刷順番“３”を関連づけて記憶する。
【００４８】
この後、ジョブ管理部１４３は、印刷ジョブと印刷順番とを印刷装置２００に送信する。具体的に、ジョブ管理部１４３は、印刷ジョブのファイル名と印刷順番とを関連づけて記憶したジョブテーブルＴ２と、印刷ジョブとを、印刷装置２００に送信する。
【００４９】
次に、図５を参照して、特定フォルダ１２０に保存されている印刷対象データが更新された際に実行される更新処理について説明する。
【００５０】
ここで、説明のため、特定フォルダ１２０には、印刷対象データとして第１印刷対象データが保存されており、その後、第１印刷対象データを更新することにより第２印刷対象データが生成されたものとして適宜説明する。
【００５１】
ステップＳ１１０において、データ検出部１４１は、特定フォルダ１２０内を監視する。具体的に、データ検出部１４１は、特定フォルダ１２０内を定期的（例えば、３分ごと）にポーリングする。
【００５２】
ステップＳ１２０において、データ検出部１４１は、特定フォルダ１２０内に、第１印刷対象データを更新した第２印刷対象データがあるか否かを判定する。具体的に、データ検出部１４１は、特定フォルダ１２０に保存される印刷対象データから、印刷対象データのファイル名と印刷対象データの作成日時とを特定する。
【００５３】
そして、データ検出部１４１は、特定フォルダ１２０内の印刷対象データのファイル名と印刷対象データの作成日時と、データテーブルＴ１の印刷対象データのファイル名と作成日時とを比較する。データ検出部１４１は、特定フォルダ１２０とデータテーブルＴ１との間において、印刷対象データのファイル名が共通で、印刷対象データの作成日時が相違するものがあるか否かを判定する。
【００５４】
以下に、ステップＳ１２０の動作について、一例を挙げて説明する。例えば、データ検出部１４１は、特定フォルダ１２０を監視した結果、特定フォルダ１２０に保存される印刷対象データのファイル名“ａａａ．ｄｏｃ”と作成時刻“☆☆☆”とを特定する。
【００５５】
そして、データ検出部１４１は、図３の例に示すデータテーブルＴ１を参照する。データ検出部１４１は、特定フォルダ１２０の印刷対象データのファイル名“ａａａ．ｄｏｃ”と作成時刻“☆☆☆”と、データテーブルＴ１の印刷対象データのファイル名“ａａａ．ｄｏｃ”と作成時刻“○○○”を比較する。
【００５６】
この場合、データ検出部１４１は、特定フォルダ１２０とデータテーブルＴ１との間において、印刷対象データのファイル名が共通で、印刷対象データの作成日時が相違するため、第１印刷対象データを更新した第２印刷対象データ“ａａａ．ｄｏｃ”があると判定する。すなわち、データ検出部１４１は、第１印刷対象データを更新することにより生成された第２印刷対象データが特定フォルダに保存されたことを検出する。
【００５７】
なお、データ検出部１４１は、第１印刷対象データを更新した第２印刷対象データがないと判定した場合、すなわち、更新した第２印刷対象データが検出されない場合（ステップＳ１２０“Ｎｏ”）、ステップＳ１１０の動作を繰り返す。
【００５８】
ステップＳ１３０において、データ検出部１４１によって第２印刷対象データが検出された場合（ステップＳ１２０“Ｙｅｓ”）、データ検出部１４１は、第２印刷対象データと作成日時とを関連づけてサーバ記憶部１３０に記憶する。例えば、図６に示すように、データ検出部１４１は、特定フォルダ１２０に保存される第２印刷対象データのファイル名“ａａａ．ｄｏｃ”と作成時刻“☆☆☆”とを関連づけて、データテーブルＴ１に記憶する。
【００５９】
更に、ステップＳ１４０において、データ検出部１４１によって第２印刷対象データが検出された場合、ジョブ生成部１４２は、第２印刷対象データから第２印刷ジョブを生成する。
【００６０】
ステップＳ１５０において、ジョブ生成部１４２によって第２印刷ジョブが生成された場合、ジョブ管理部１４３は、第１印刷ジョブを削除するとともに、第２印刷対象データを当該第１印刷ジョブの印刷順番にて記憶する。
【００６１】
例えば、ジョブ管理部１４３は、過去に生成された第１印刷ジョブ“ａａａ．ｄｏｃ．ｐｒｎ”を削除して、ステップＳ１４０において、新たに生成された第２印刷ジョブ“ａａａ．ｄｏｃ．ｐｒｎ”をサーバ記憶部１３０に記憶する。このとき、ジョブ管理部１４３は、図４に示すように、過去に生成された第１印刷ジョブ“ａａａ．ｄｏｃ．ｐｒｎ”に関連づけて記憶した印刷順番“１”と、第２印刷ジョブ“ａａａ．ｄｏｃ．ｐｒｎ”とを関連づけて記憶する。すなわち、ジョブ管理部１４３は、過去に生成された第１印刷ジョブ“ａａａ．ｄｏｃ．ｐｒｎ”の印刷順番を維持するように第２印刷ジョブ“ａａａ．ｄｏｃ．ｐｒｎ”を記憶する。
【００６２】
＜作用及び効果＞
以上のように、本発明の実施例１に係る印刷システム１では、ジョブ生成部１４２は、第１印刷対象データを更新することにより生成された第２印刷対象データが検出された場合、第２印刷対象データから第２印刷ジョブを生成する。また、ジョブ管理部１４３は、第２印刷ジョブが生成された場合、第１印刷ジョブを削除するとともに、第２印刷対象データを第１印刷ジョブの印刷順番にて記憶する。
【００６３】
これにより、第１印刷対象データを更新して第２印刷対象データが生成されても、更新前の第１印刷対象データから生成した第１印刷ジョブと、更新後の第２印刷対象データから生成した第２印刷ジョブとの２つの印刷ジョブが印刷されてしまうことを防止できるため、無駄な印刷を防止できる。
【００６４】
また、ジョブ管理部１４３は、第２印刷対象データを第１印刷ジョブの印刷順番にて記憶するため、第２印刷ジョブの印刷時には、第１印刷ジョブの印刷順番が維持される。これにより、例えば、冊子や資料等の印刷物のページ順番を複数の印刷ジョブの印刷順番によって設定している場合に、印刷物のページ順番が変更されることを防止できるため、印刷物を作成する上での利便性を高めることができる。
【００６５】
［本発明のその他の実施形態］
以上、上述の実施形態を用いて本発明について詳細に説明したが、当業者にとっては、本発明が本明細書中に説明した実施形態に限定されるものではないということは明らかである。
【００６６】
例えば、上述した実施形態では、ジョブ管理部１４３は、ジョブ生成部１４２によって生成された印刷ジョブと印刷順番とを関連づけて、サーバ記憶部１３０に記憶するように構成されていたが、これに限定されるものではない。例えば、ジョブ管理部１４３は、印刷ジョブと印刷順番とを関連づけて、印刷装置２００の印刷装置記憶部２２０に記憶してもよい。これにより、印刷装置２００において、印刷ジョブに基づく印刷を行う場合に、サーバ１００と印刷装置２００との間で、印刷ジョブを送受信する必要性が無くなるので、印刷ジョブに基づく印刷をより迅速に実行できる。
【００６７】
また、上述した実施形態において、データ検出部１４１とジョブ生成部１４２とジョブ管理部１４３との機能は、必ずしもサーバ１００に設けられていなくてもよい。例えば、データ検出部１４１とジョブ生成部１４２とジョブ管理部１４３との機能は、印刷装置２００に備えられていてもよいし、ネットワークを介して、特定フォルダ１２０に接続可能な他のサーバに備えられていてもよい。
【００６８】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００６９】
１…印刷システム
１０…端末装置
１００…サーバ
１１０…通信部
１２０…特定フォルダ
１３０…サーバ記憶部
１４０…サーバ制御部
１４１…データ検出部
１４２…ジョブ生成部
１４３…ジョブ管理部
２００…印刷装置
２１０…通信部
２２０…印刷装置記憶部
２３０…印刷部
２４０…操作パネル部
２５０…印刷制御部
【図１】
2017211797.tif 000003
【図２】
2017211797.tif 000004
【図３】
2017211797.tif 000005
【図４】
2017211797.tif 000006
【図５】
2017211797.tif 000007
【図６】
2017211797.tif 000008